(57)【要約】【課題】  ドアの内部に余裕がない場合であってもドアのアウターパネルにガーニッシュを取り付けることができるドアのガーニッシュ取付構造を提供する。【解決手段】  ドアのアウターパネル32の外面にガーニッシュ26を取り付けるドアのガーニッシュ取付構造において、ガーニッシュ26の上部は、アウターパネル32に接着され車両前後方向に延びている長尺状の第１ブラケット34に支持され、ガーニッシュ26の下部は、アウターパネル32の下端部に装着される第２ブラケット42に支持され、ガーニッシュ26の中間部は、ガーニッシュ26の内面とアウターパネル32の外面とが固着部材である車両側デュアルロック（登録商標）ファスナー38及びガーニッシュ側デュアルロック（登録商標）ファスナー54で固着されてなる。【選択図】        図３
2005306183.tif 000002
【特許請求の範囲】
【請求項１】
ドアのアウターパネルの外面にガーニッシュを取り付けるドアのガーニッシュ取付構造において、
前記ガーニッシュの上部は、前記アウターパネルに接着され車両前後方向に延びている長尺状の第１ブラケットに支持され、前記ガーニッシュの下部は、前記アウターパネルの下端部に装着される第２ブラケットに支持され、前記ガーニッシュの中間部は、前記ガーニッシュの内面と前記アウターパネルの外面とが固着部材で固着されることを特徴とするドアのガーニッシュ取付構造。
【請求項２】
前記固着部材が前記ガーニッシュの内面及び前記アウターパネルの外面に固着される固着面には接着層が形成されていることを特徴とする請求項１記載のドアのガーニッシュ取付構造。
【発明の詳細な説明】
【技術分野】
【０００１】
本発明は、ドアのアウターパネルの外面にガーニッシュを取り付けるドアのガーニッシュ取付構造に関する。
【背景技術】
【０００２】
従来、サイドモールはドア本体の下部外面からドア本体の下端より下方に延びるように配設されている。サイドモールの上部には上下２箇所の位置にドア本体のアウターパネルに沿うように取付部が突設されており、この取付部に前後方向に適当間隔おきに装着したクリップにてドア本体のアウターパネルに固定されている。また、下方の取付部の下方位置でサイドモールの内面にクッション材が固着され、このクッション材がドア本体のアウターパネルに圧接するように構成してサイドモールの上下方向の中間部分が内外に振動するのを防止している。サイドモールの下端はドア本体の下端部に取付けたブラケットの下端に固定されて支持されている。ブラケットは、その上部が上下に間隔をあけてかつ前後方向に適当間隔おきに配設されたクリップにてドア本体のアウターパネルの下端部に固定されると共に、ドア本体の下縁より下方に延出され、その下端に外側に向けて折曲部が形成されており、折曲部の下面にサイドモールの下端縁が重合されてクリップにて固定されている。一方、車体の両側下部のロッカパネルの下部にスライドドアの下端部をスライド自在に支持するスライドレールが配設されており、スライドレールとドア本体のインナーパネルの下端部が所定の隙間をあけて対向している。そして、ブラケットの中間部にドア本体の下端より下方位置でドア本体とガイドレールの下端との隙間の下部を塞ぐようにドア本体の内面より内側に突出する突出部が設けられているドアのサイドモール取付構造が知られている（特許文献１参照）。当該ドアのサイドモール取付構造によれば、ドア本体の下端より下方に延びるサイドモールをブラケットにてドア本体に取付けたサイドモール取付構造において、ブラケットの中間部にドア本体の下端より下方位置でドア本体と車体との隙間の下部を塞ぐようにドア本体の内面より内側に突出する突出部を設けたので、その突出部によって走行中にドア本体と車体との隙間に向けて下方から雪や水が侵入するのを防止でき、それらの詰まりや氷結によって開閉機能を損なう恐れを確実に無くすことができ、またブラケットに突出部を形成するだけであるので安価に構成でき、更にブラケットに設けた突条部が補強ビードとしても機能するため、ブラケットの剛性が高くなってサイドモールの取付精度や取付剛性を向上できるという効果が得られる。
【特許文献１】特開平１１−３０１３６９号公報
【発明の開示】
【発明が解決しようとする課題】
【０００３】
しかしながら、上述の従来技術であるドアのサイドモール取付構造では、サイドモールの上部には上下２箇所の位置にドア本体のアウターパネルに沿うように取付部が突設されており、この取付部に前後方向に適当間隔おきに装着したクリップにてドア本体のアウターパネルに固定されているため、ドアのサイドモール（ガーニッシュ）をクリップにてドアのアウターパネルに固定する際にクリップの先端部がドアの内部に突出してドアの内部に余裕がない場合には、ドアのアウターパネルにガーニッシュを取り付けることができないという問題点がある。
【０００４】
本発明は、このような状況を鑑みてなされたもので、ドアの内部に余裕がない場合であってもドアのアウターパネルにガーニッシュを取り付けることができるドアのガーニッシュ取付構造を提供することを目的とする。
【課題を解決するための手段】
【０００５】
前述の課題を解決するため、本発明に係るドアのガーニッシュ取付構造は、次のような手段を採用する。
【０００６】
即ち、請求項１記載の発明のドアのガーニッシュ取付構造は、ドアのアウターパネルの外面にガーニッシュを取り付けるドアのガーニッシュ取付構造において、前記ガーニッシュの上部は、前記アウターパネルに接着され車両前後方向に延びている長尺状の第１ブラケットに支持され、前記ガーニッシュの下部は、前記アウターパネルの下端部に装着される第２ブラケットに支持され、前記ガーニッシュの中間部は、前記ガーニッシュの内面と前記アウターパネルの外面とが固着部材で固着されることを特徴とする。
【０００７】
また、請求項２記載の発明のドアのガーニッシュ取付構造は、請求項１記載の発明において、前記固着部材が前記ガーニッシュの内面及び前記アウターパネルの外面に固着される固着面には接着層が形成されていることを特徴とする。
【発明の効果】
【０００８】
請求項１記載の発明のドアのガーニッシュ取付構造によれば、ドアのアウターパネルの外面にガーニッシュを取り付けるドアのガーニッシュ取付構造において、ガーニッシュの上部は、アウターパネルに接着され車両前後方向に延びている長尺状の第１ブラケットに支持され、ガーニッシュの下部は、アウターパネルの下端部に装着される第２ブラケットに支持され、ガーニッシュの中間部は、ガーニッシュの内面とアウターパネルの外面とが固着部材で固着されるため、第１ブラケットはドアのアウターパネルの外面に接着されるのでガーニッシュの取り付けに際してドアの内部にドアのアウターパネルの外面にガーニッシュを取り付けるためのクリップ等が突出することがなく、ドアの内部に余裕がない場合であってもドアのアウターパネルにガーニッシュを取り付けることができてドアのアウターパネルの外面にガーニッシュを取り付ける高い汎用性を得ることができる。また、第１ブラケットは長尺状に形成されているため接着によってドアのアウターパネルに取付けられている場合であってもドアのアウターパネルにガーニッシュを取り付ける接合強度を確保することができる。また、特に大型のガーニッシュにおいては、ガーニッシュの中間部が固着部材で固着されるため車両の走行等によるガーニッシュの振動が抑制されドアのアウターパネルに接着される第１ブラケット、及びドアに対する取付部の耐久性を向上することができると共に、ガーニッシュに作用する外部からの衝撃に対するガーニッシュのドアのアウターパネルに対する位置ずれを抑制することができてガーニッシュを第１ブラケットに安定して取り付けることができる。
【０００９】
また、請求項２記載の発明のドアのガーニッシュ取付構造によれば、固着部材がガーニッシュの内面及びアウターパネルの外面に固着される固着面には接着層が形成されているため、固着部材は接着層でガーニッシュの内面に固着されるのでガーニッシュに対する固着部材の取り付けが容易になると共に、ガーニッシュにおけるドアのアウターパネルに対する接合を確実にすることができる。また、ガーニッシュの中間部は、ドアのアウターパネルに固着部材で固着されるためドアのアウターパネルにガーニッシュを取り付ける作業性を容易にすることができる。
【発明を実施するための最良の形態】
【００１０】
以下、本発明に係るドアのガーニッシュ取付構造の実施形態を図面に基づいて説明する。図１乃至図１８は、本発明に係るドアのガーニッシュ取付構造の一実施形態を説明する図である。
【００１１】
図１は、本発明に係るドアのガーニッシュ取付構造が適用されて車両10のドアにガーニッシュが取り付けられた状態を示す斜視図である。尚、図１においては、車両10を矢印Ａ方向から視て左右方向を規定する。右フロントドア12には、右フロントドアガーニッシュ14が設けられている。左フロントドア16には、左フロントドアガーニッシュ18が設けられている。右スライドドア20には、右スライドドアガーニッシュ22が設けられている。左スライドドア24には、左スライドドアガーニッシュ26が設けられている。右フロントドア12及び右スライドドア20の下端部には、右サイドロアスカート28が設けられている。左フロントドア16及び左スライドドア24の下端部には、左サイドロアスカート30が設けられている。
【００１２】
図２は、左スライドドアガーニッシュ26（以下、単にガーニッシュ26と称す）の平面図である。図３は、ガーニッシュ26のＢ−Ｂ線断面図である。ドアのアウターパネル32におけるガーニッシュ26が接合される部位の上部には、第１ブラケット34が両面テープ36でドアのアウターパネル32に貼着されている。第１ブラケット34は、車両前後方向に略長尺板状に形成されている。第１ブラケット34の上端部は、斜め上方に屈曲して先端部でアウターパネル32と略平行となるように形成されている。ドアのアウターパネル32におけるガーニッシュ26が接合される部位の上下方向の略中央部には、所定間隔で車両前後方向に長尺状に形成されている車両側デュアルロック（登録商標）ファスナー38が両面テープ40で貼着されている。ドアのアウターパネル32におけるガーニッシュ26が接合される部位の下部には、第２ブラケット42が設けられている。第２ブラケット42は、ドアのインナーパネル44とドアのアウターパネル32とを挟持するように略板状部材を表面同士が対向するように屈曲されている屈曲部42a、及び屈曲部42aの車両左側である一方の先端部には車両左方向に略水平となるように延びている一端部42bが形成されている。第２ブラケット42の一端部42bには、略円状に上方に突出している円状突出部42cが形成されている。第２ブラケット42の円状突出部42cの略中央部には、クリップ46が挿通する第２ブラケット挿通孔42dが形成されている。第２ブラケット42の屈曲部42aの車両右側である他方の先端部は、屈曲部42aの略直線状に延びている部位に対して外側に屈曲するように形成されている。
【００１３】
ガーニッシュ26は、車両側である右部を開口するように車両前後方向に長尺状に形成されている。ガーニッシュ26は、上端部から下端部にかけて車両左右方向の奥行きが大きくなるように傾斜して形成されている。ガーニッシュ26の上端部には、ドアのアウターパネル32と第１ブラケット34の先端部との隙間に係合する係合部48が車両側である右部に下方に突出して形成されている。また、ガーニッシュ26の上端部の車両側である右部の表面には、両面テープ50が貼着されている。ガーニッシュ26の上下方向の略中間部であってドアのアウターパネル32に貼着されている車両側デュアルロック（登録商標）ファスナー38に対応する部位には、ガーニッシュ26の内面から矩形状に突出している矩形突出部52が車両前後方向に所定間隔で形成されている。ガーニッシュ26の矩形突出部52の上面には、ガーニッシュ側デュアルロック（登録商標）ファスナー54が両面テープ56で貼着されている。ガーニッシュ26の車両上下方向の下部には、車両側の面がドアのアウターパネル32の表面形状と一致するように形成されているガーニッシュブロック58がガーニッシュ26の正面壁62の内面に両面テープ63で貼着されている。ガーニッシュブロック58の車両側の面は両面テープ64でドアのアウターパネル32に貼着されている。ガーニッシュ26の下端部であって第２ブラケット42に対応する部位には、ガーニッシュ26を第２ブラケット42にクリップ46で固定するためのガーニッシュ挿通孔66が形成されている。
【００１４】
次に、以上のように構成されているガーニッシュ26を車両10に取り付ける手順について説明する。図４乃至図１８は、ガーニッシュ26を車両10のドアに取り付ける手順について説明するための図である。
【００１５】
最初に、ガーニッシュ26を左スライドドア24（以下、単にスライドドア24と称す）に装着するための第１ブラケット34、車両側デュアルロック（登録商標）ファスナー38及び第２ブラケット42を位置決めするための型紙68を取り付けるスライドドア24の部位を脱脂洗浄剤で清掃する（手順１）。
【００１６】
次いで、図４に示すように、型紙68（第１の型紙）をスライドドア24の下側とリア側の端部をスライドドア24の曲面の端部であるＲ止まり部に合わせると共に、粘着テープ等でスライドドア24に固定する（手順２）。
【００１７】
次いで、図５に示すように、型紙68に形成されている位置決め孔にサインペン等で印を付ける（手順３）。型紙68には、第１ブラケット34を位置決めするための第１ブラケット位置決め孔34a、車両側デュアルロック（登録商標）ファスナー38を位置決めするための車両側デュアルロック（登録商標）ファスナー位置決め孔38a、第２ブラケット42を位置決めするための第２ブラケット位置決め孔42aが形成されている。
【００１８】
次いで、図６に示すように、型紙68の上端部の車両前端部及び車両後端部に形成されている第１ブラケット34を位置決めするための第１ブラケット切込部34bにサインペン等で印を付ける（手順４）。
【００１９】
次いで、図７に示すように、車両前側用型紙70（第２の型紙）を図５で第１ブラケット位置決め孔34a，34aに付けた車両前方側の２箇所の印に合わせて、車両前側用型紙70の矢印72が示すスライドドア24の位置にサインペン等で印を付ける（手順５）。
【００２０】
次いで、図８に示すように、車両後側用型紙74（第３の型紙）を図５で第１ブラケット位置決め孔34a，34aに付けた車両後方側の２箇所の印に合わせて、車両後側用型紙74の矢印76が示すスライドドア24の位置にサインペン等で印を付ける（手順６）。
【００２１】
次いで、図９に示すように、第１ブラケット34の車両前後側を図６で第１ブラケット切込部34bに付けた車両前後方向の２箇所の印、並びに、図７の車両前側用型紙70及び図８の車両後側用型紙74で付けた車両上下方向の２箇所の印に合わせて、第１ブラケット34の下端にサインペン等で線を引く（手順７）。
【００２２】
次いで、図１０に示すように、第１ブラケット34の両面テープ36の離型紙36aの端部に粘着テープ等を貼り付けて離型紙36aの端部を剥がして第１ブラケット34の表面に仮止めする（手順８）。
【００２３】
次いで、図１１に示すように、第１ブラケット34の両面テープ36の離型紙36aを剥がしながらスライドドア24に第１ブラケット34を圧着する（手順９）。
【００２４】
次いで、図１２に示すように、車両側デュアルロック（登録商標）ファスナー38の両面テープ40の離型紙40aを剥がして、図５で車両側デュアルロック（登録商標）ファスナー位置決め孔38aに付けた印の位置に車両側デュアルロック（登録商標）ファスナー38を圧着する（手順10）。
【００２５】
次いで、図１３に示すように、図５で第２ブラケット位置決め孔42aに付けた印の位置にシール78を貼り付ける（手順11）。
【００２６】
次いで、図１４に示すように、ガーニッシュ26の両面テープ50の離型紙50aを剥がして同部位にセパレータテープの離型紙80の先端部を残して離型紙80を貼り付ける（手順12）。尚、両面テープ50の離型紙50aの素材は、ＰＥ（Polyethylene）である。また、セパレータテープの離型紙80の素材は、ＰＥＴ（Polyethylene Terephthalate）である。
【００２７】
次いで、図１５に示すように、ガーニッシュブロック58の両面テープ64の離型紙64a、及び離型紙80の端部に粘着テープ当を貼り付けて離型紙64a及び離型紙80を剥がしてガーニッシュ26の表面に仮止めする（手順13）。
【００２８】
次いで、図１６に示すように、ガーニッシュ26をスライドドア24に圧着されている第１ブラケット34に取り付ける（手順14）。
【００２９】
次いで、図１７に示すように、離型紙80、車両前方部の離型紙64a、車両中央部の離型紙64a、車両後方部の離型紙64aの順に離型紙を剥がしながら、ガーニッシュ26のガーニッシュ挿通孔66と第２ブラケット42の第２ブラケット挿通孔42dとの中心が一致するように第２ブラケット42をスライドドア24に取り付ける（手順15）。
【００３０】
次いで、図１８に示すように、第２ブラケット42にクリップ46でガーニッシュ26を固定する（手順16）。
【００３１】
以上、本実施形態によれば、ドアのアウターパネル32の外面にガーニッシュ26を取り付けるドアのガーニッシュ取付構造において、ガーニッシュ26の上部は、アウターパネル32に接着され車両前後方向に延びている長尺状の第１ブラケット34に支持され、ガーニッシュ26の下部は、アウターパネル32の下端部に装着される第２ブラケット42に支持され、ガーニッシュ26の中間部は、ガーニッシュ26の内面とアウターパネル32の外面とが固着部材である車両側デュアルロック（登録商標）ファスナー38及びガーニッシュ側デュアルロック（登録商標）ファスナー54で固着されるため、第１ブラケット34はドアのアウターパネル32の外面に接着されるのでガーニッシュ26の取り付けに際してドアの内部にドアのアウターパネル32の外面にガーニッシュ26を取り付けるためのクリップ等が突出することがなく、ドアの内部に余裕がない場合であってもドアのアウターパネル32にガーニッシュ26を取り付けることができてドアのアウターパネル32の外面にガーニッシュ26を取り付ける高い汎用性を得ることができる。また、第１ブラケット34は長尺状に形成されているため接着によってドアのアウターパネル32に取付けられている場合であってもドアのアウターパネル32にガーニッシュ26を取り付ける接合強度を確保することができる。また、特に大型のガーニッシュ26においては、ガーニッシュ26の中間部が固着部材である車両側デュアルロック（登録商標）ファスナー38及びガーニッシュ側デュアルロック（登録商標）ファスナー54で固着されるため車両の走行等によるガーニッシュ26の振動が抑制されドアのアウターパネル32に接着される第１ブラケット34、及びドアのアウターパネル32に対する取付部の耐久性を向上することができると共に、ガーニッシュ26に作用する外部からの衝撃に対するガーニッシュ26のドアのアウターパネル32に対する位置ずれを抑制することができてガーニッシュ26を第１ブラケット34に安定して取り付けることができる。
【００３２】
また、本実施形態によれば、固着部材である車両側デュアルロック（登録商標）ファスナー38及びガーニッシュ側デュアルロック（登録商標）ファスナー54がガーニッシュ26の内面及びアウターパネル32の外面に固着される固着面には両面テープ40及び両面テープ56である接着層が形成されているため、固着部材であるガーニッシュ側デュアルロック（登録商標）ファスナー54は両面テープ56である接着層でガーニッシュ26の内面に固着されるのでガーニッシュ26に対する固着部材であるガーニッシュ側デュアルロック（登録商標）ファスナー54の取り付けが容易になると共に、ガーニッシュ26におけるドアのアウターパネル32に対する接合を確実にすることができる。また、ガーニッシュ26の中間部は、ドアのアウターパネル32に固着部材である車両側デュアルロック（登録商標）ファスナー38及びガーニッシュ側デュアルロック（登録商標）ファスナー54で固着されるためドアのアウターパネル32にガーニッシュ26を取り付ける作業性を容易にすることができる。
【００３３】
尚、本実施形態では、左スライドドア24に左スライドドアガーニッシュ26を取り付ける構造を説明したが、右フロントドア12に右フロントドアガーニッシュ14を取り付ける構造、左フロントドア16に左フロントドアガーニッシュ18を取り付ける構造、右スライドドア20に右スライドドアガーニッシュ22を取り付ける構造についても同様である。
【００３４】
また、本発明は上記実施形態に限定されるものではなく、本発明の要旨の範囲内において種々の変形実施が可能である。
【図面の簡単な説明】
【００３５】
【図１】本発明に係るドアのガーニッシュ取付構造が適用されて車両のドアにガーニッシュが取り付けられた状態を示す斜視図である。
【図２】図１の左スライドドアガーニッシュを示す平面図である。
【図３】図１の左スライドドアガーニッシュのＢ−Ｂ線断面図である。
【図４】図１の左スライドドアガーニッシュを車両に取り付ける手順２について説明するための図であって、第１の型紙を左スライドドアに固定する方法を示す斜視図である。
【図５】図１の左スライドドアガーニッシュを車両に取り付ける手順３について説明するための図である。（ａ）は、第１の型紙を左スライドドアに固定した状態を示す斜視図である。（ｂ）は、第１の型紙の位置決め孔に印を付ける方法を示す平面図である。
【図６】図１の左スライドドアガーニッシュを車両に取り付ける手順４について説明するための図である。（ａ）は、第１の型紙を左スライドドアに固定して位置決め孔に印を付けた状態を示す斜視図である。（ｂ）は、第１の型紙の第１ブラケット切込部に印を付ける方法を示す斜視図である。
【図７】図１の左スライドドアガーニッシュを車両に取り付ける手順５について説明するための図である。（ａ）は、第２の型紙を用いて印を付ける方法を示す斜視図である。（ｂ）は、第２の型紙を用いて印を付けた状態を示す斜視図である。
【図８】図１の左スライドドアガーニッシュを車両に取り付ける手順６について説明するための図である。（ａ）は、第３の型紙を用いて印を付ける方法を示す斜視図である。（ｂ）は、第２の型紙及び第３の型紙を左スライドドアに合わせた状態の断面図である。
【図９】図１の左スライドドアガーニッシュを車両に取り付ける手順７について説明するための図である。（ａ）は、手順３乃至手順６で付けた印に第１ブラケットを合わせた状態を示す斜視図である。（ｂ）は、手順３乃至手順６で付けた印に第１ブラケットを合わせて第１ブラケットの下端に線を引いた状態を示す斜視図である。
【図１０】図１の左スライドドアガーニッシュを車両に取り付ける手順８について説明するための図であって、第１ブラケットの両面テープの離型紙を剥がした状態を示す斜視図である。
【図１１】図１の左スライドドアガーニッシュを車両に取り付ける手順９について説明するための図であって、左スライドドアに第１ブラケットを接着する方法を示す斜視図である。
【図１２】図１の左スライドドアガーニッシュを車両に取り付ける手順10について説明するための図であって、左スライドドアに車両側デュアルロック（登録商標）ファスナーを固着する方法を示す斜視図である。
【図１３】図１の左スライドドアガーニッシュを車両に取り付ける手順11について説明するための図である。（ａ）は、手順３で付けた印に合わせてシールを貼り付けた状態を示す斜視図である。（ｂ）は、手順３で付けた印に合わせてシールを貼り付ける方法を示す図である。
【図１４】図１の左スライドドアガーニッシュを車両に取り付ける手順12について説明するための図であって、左スライドドアガーニッシュの両面テープの離型紙を剥がして同部位にセパレータテープの離型紙を貼り付ける方法を示す斜視図である。
【図１５】図１の左スライドドアガーニッシュを車両に取り付ける手順13について説明するための図であって、ガーニッシュブロックの両面テープの離型紙、及び手順13で貼り付けたセパレータテープの離型紙の端部を剥がした状態を示す斜視図である。
【図１６】図１の左スライドドアガーニッシュを車両に取り付ける手順14について説明するための図であって、左スライドドアガーニッシュを左スライドドアに接着されている第１ブラケットに取り付ける方法を示す図である。
【図１７】図１の左スライドドアガーニッシュを車両に取り付ける手順15について説明するための図である。（ａ）は、左スライドドアガーニッシュを左スライドドアに取り付ける方法を示す斜視図である。（ｂ）は、第２ブラケットを左スライドドアに取り付ける方法を示す斜視図である。（ｃ）は、第２ブラケットが左スライドドアに取り付けられた状態を示す斜視図である。
【図１８】図１の左スライドドアガーニッシュを車両に取り付ける手順16について説明するための図であって、第２ブラケットにクリップで左スライドドアガーニッシュを固定する方法を示す斜視図である。
【符号の説明】
【００３６】
26  左スライドドアガーニッシュ（ガーニッシュ）
32  ドアのアウターパネル
34  第１ブラケット
38  車両側デュアルロック（登録商標）ファスナー（固着部材）
40  両面テープ（接着層）
42  第２ブラケット
54  ガーニッシュ側デュアルロック（登録商標）ファスナー（固着部材）
56  両面テープ（接着層）
【図１】
2005306183.tif 000003
【図２】
2005306183.tif 000004
【図３】
2005306183.tif 000005
【図４】
2005306183.tif 000006
【図５】
2005306183.tif 000007
【図６】
2005306183.tif 000008
【図７】
2005306183.tif 000009
【図８】
2005306183.tif 000010
【図９】
2005306183.tif 000011
【図１０】
2005306183.tif 000012
【図１１】
2005306183.tif 000013
【図１２】
2005306183.tif 000014
【図１３】
2005306183.tif 000015
【図１４】
2005306183.tif 000016
【図１５】
2005306183.tif 000017
【図１６】
2005306183.tif 000018
【図１７】
2005306183.tif 000019
【図１８】
2005306183.tif 000020